(57)【要約】受信されたオーディオ（ＥＡＩ）及びビデオ（ＥＶＩ）のテレビジョン番組データの直接出力、又は保存及び遅延された出力のための出力装置（１）であって、前記オーディオ及びビデオデータを受信する受信手段（３）と、同時の、前記受信されたオーディオ（ＥＡＩ）及びビデオデータ（ＥＶＩ）の保存、及び以前に保存されたオーディオ（ＷＡＩ）及びビデオデータ（ＷＶＩ）の読み出しを可能とする、前記受信されたオーディオ（ＥＡＩ）及びビデオデータ（ＥＶＩ）を保存するメモリ手段（１１）と、出力されるべき前記オーディオ（ＡＡＩ）及びビデオデータ（ＡＶＩ）を選択する選択手段（４、５、１７、１８）と、前記出力されるべき前記ビデオデータ（ＡＶＩ）の視覚的な再生及び前記出力されるべきオーディオデータ（ＡＡＩ）の音響的な再生を可能にするため、前記出力されるべきオーディオ（ＡＡＩ）及びビデオデータ（ＡＶＩ）を出力する出力手段（１７、１８）とを持つ出力装置（１）の場合において、前記選択手段（４、５、１７、１８）は、出力されるべきオーディオ（ＡＡＩ）及びビデオデータ（ＡＶＩ）として、戻し時間（ＴＲ）だけ前に受信され保存されたオーディオデータ（ＷＡＩ）と共に現在受信されているビデオデータ（ＥＶＩ）を選択するように、又は現在受信されているオーディオデータ（ＥＡＩ）と共に戻し時間（ＴＲ）だけ前に受信され保存されたビデオデータ（ＷＶＩ）を選択するように構成される。
2005501487.tif 000002
【特許請求の範囲】
【請求項１】
受信されたオーディオ及びビデオのテレビジョン番組データの直接出力、又は保存及び遅延された出力のための出力装置であって、
前記オーディオ及びビデオデータを受信する受信手段と、
同時の、前記受信されたオーディオ及びビデオデータの保存、及び以前に保存されたオーディオ及びビデオデータの読み出しを可能とする、前記受信されたオーディオ及びビデオデータを保存するメモリ手段と、
出力されるべき前記オーディオ及びビデオデータを選択する選択手段と、
前記出力されるべき前記ビデオデータの視覚的な再生及び前記出力されるべきオーディオデータの音響的な再生を可能にするため、前記出力されるべきオーディオ及びビデオデータを出力する出力手段と、
を持つ出力装置であって、
前記選択手段は、前記出力されるべきオーディオ及びビデオデータとして、戻し時間だけ前に受信され保存されたオーディオデータと共に、現在受信されているビデオデータを選択するように、又は現在受信されているオーディオデータと共に、戻し時間だけ前に受信され保存されたビデオデータを選択するように構成されることを特徴とする出力装置。
【請求項２】
前記選択手段は、手動で作動させることができる戻しボタンを有し、前記戻しボタンを用いて前記戻し時間が選択され得ることを特徴とする請求項１に記載の出力装置。
【請求項３】
前記戻しボタンを１回押下することによって、予め設定された戻し時間が選択され得ることを特徴とする、請求項２に記載の出力装置。
【請求項４】
前記戻しボタンをＫ回押下することによって、前記予め設定された戻し時間のＫ倍が選択され得ることを特徴とする、請求項３に記載の出力装置。
【請求項５】
前記選択手段は、手動で作動させることができる送りボタンを有し、前記送りボタンを用いて、現在受信されているオーディオ及びビデオデータが、前記出力されるべきオーディオ及びビデオデータとして選択され得ることを特徴とする、請求項１に記載の出力装置。
【請求項６】
前記メモリ手段はハードディスク又はＤＶＤ＋ＲＷを含むことを特徴とする、請求項１に記載の出力装置。
【請求項７】
前記出力装置は、前記出力手段に接続されたモニタ及びラウドスピーカを有することを特徴とする、請求項１に記載の出力装置。
【請求項８】
前記選択手段は、戻しボタンが押下されてから選択された前記戻し時間が経過した場合に、前記出力されるべきオーディオ及びビデオデータとして、現在受信されているオーディオ及びビデオデータを自動的に選択するように構成されることを特徴とする、請求項１に記載の出力装置。
【請求項９】
受信されたオーディオ及びビデオのテレビジョン番組データの直接出力、又は保存及び遅延された出力のための出力方法であって、
前記オーディオ及びビデオデータの受信ステップと、
同時の、前記受信されたオーディオ及びビデオデータの保存、及び以前に保存されたオーディオ及びビデオデータの読み出しが可能である、前記受信されたオーディオ及びビデオデータの保存ステップと、
出力されるべきオーディオ及びビデオデータの選択ステップと、
前記出力されるべきビデオデータの視覚的な再生及び前記出力されるべきオーディオデータの聴覚的な再生を可能とするための、前記出力されるべきオーディオ及びビデオデータの出力ステップと、
が実行され、更に、
前記出力されるべきオーディオ及びビデオデータとして、戻し時間だけ前に受信され保存された前記オーディオデータと共に、現在受信されている前記ビデオデータを、又は現在受信されているオーディオデータと共に、戻し時間だけ前に受信され保存された前記ビデオデータを選択することが可能な出力方法。
【請求項１０】
前記戻し時間が手動で選択され得る、請求項９に記載の出力方法。
【請求項１１】
単一の予め設定された戻し時間、又は前記予め設定された戻し時間のＫ倍が、戻しボタンを１回又はＫ回押下することにより選択される、請求項１０に記載の出力方法。
【請求項１２】
戻しボタンが押下されてから選択された前記戻し時間が経過した場合に、前記出力されるべきオーディオ及びビデオデータとして、現在受信されているオーディオ及びビデオデータが自動的に選択される、請求項１０に記載の出力方法。
【発明の詳細な説明】
【０００１】
【発明の属する技術分野】
本発明は、受信されたオーディオ及びビデオのテレビジョン番組データの直接出力、又は保存及び遅延された出力のための出力装置であって、
前記オーディオ及びビデオデータを受信する受信手段と、
同時の、前記受信されたオーディオ及びビデオデータの保存、及び以前に保存されたオーディオ及びビデオデータの読み出しを可能とする、前記受信されたオーディオ及びビデオデータを保存するメモリ手段と、
出力されるべき前記オーディオ及びビデオデータを選択する選択手段と、
前記出力されるべき前記ビデオデータの視覚的な再生及び前記出力されるべきオーディオデータの音響的な再生を可能にするための、前記出力されるべきオーディオ及びビデオデータを出力する出力手段とを持つ出力装置に関する。
【０００２】
本発明は更に、受信されたオーディオ及びビデオのテレビジョン番組データの直接出力、又は保存及び遅延された出力のための出力方法であって、
前記オーディオ及びビデオデータの受信ステップと、
同時の、前記受信されたオーディオ及びビデオデータの保存、及び以前に保存されたオーディオ及びビデオデータの読み出しが可能である、前記受信されたオーディオ及びビデオデータの保存ステップと、
出力されるべきオーディオ及びビデオデータの選択ステップと、
前記出力されるべきビデオデータの視覚的な再生及び前記出力されるべきオーディオデータの聴覚的な再生を可能とするための、前記出力されるべきオーディオ及びビデオデータの出力ステップと、
が実行される出力方法に関する。
【０００３】
【従来の技術】
本出願人は、出力装置を構成する、ＴｉＶｏ ＨＤＲ３１２型のハードディスクレコーダを商用に利用可能とした。この既知のハードディスクレコーダは、チューナを含み、前記チューナによってオーディオ及びビデオのテレビジョン番組データが受信され該ハードディスクレコーダと接続可能なテレビジョンセットへ出力される。前記ハードディスクレコーダメモリ手段は、受信されたテレビジョン番組からオーディオ及びビデオデータを保存するための、２７Ｇバイトの記憶容量を持つハードディスクを含み、これによって前記保存されたテレビジョン番組は３０時間に及ぶ再生時間に渡って再生され得る。
【０００４】
前記既知のハードディスクレコーダは、ハードディスクレコーダのリモートコントローラを含む、前記テレビジョンセットに出力されるべきオーディオ及びビデオデータを選択するための選択手段を有する。リモートコントローラによって、ユーザは、前記チューナによって現在受信されている前記オーディオ及びビデオデータ、又は前記テレビジョンセットへの出力及び前記テレビジョンセットによる再生のために前記ハードディスクに保存されたオーディオ及びビデオデータを選択しても良い。
【０００５】
前記既知のハードディスクレコーダは所謂「ポーズライブＴＶ（Ｐａｕｓｅ Ｌｉｖｅ ＴＶ）」という特徴を有する。これによって、前記ハードディスクレコーダのユーザは、該ユーザがテレビジョン番組の視聴の間に例えば着信する電話によって妨害されても、全体の前記テレビジョン番組を視聴することが可能である。前記ユーザが現在受信されているテレビジョン番組を視聴している間に妨害された場合、前記ユーザは、前記選択手段上のポーズボタンを作動させる。するとすぐに前記ハードディスクレコーダの録画モードが起動される。前記電話が終わった際に前記ユーザが前記テレビジョン番組を視聴し続けたい場合は、前記ユーザは再び前記ポーズボタンを押下する。するとすぐに中断の時間から前記ユーザのために前記ハードディスクに保存された前記テレビジョン番組のオーディオ及びビデオデータが再生される。この特徴は、前記ユーザによる前記ポーズボタンの再作動の後、現在受信されている前記オーディオ及びビデオのテレビジョン番組データが、前記ハードディスクに保存され、同時に数分前に保存された前記オーディオ及びビデオのテレビジョン番組データが前記ハードディスクから読み出される場合に可能である。
【０００６】
【発明が解決しようとする課題】
既知のハードディスクレコーダ及び既知の方法の場合、前記ユーザは、現在受信されている、例えばスポーツ放送又はニュース放送といったテレビジョン番組の幾つかの場面を、前記テレビジョン番組の「生」の性質、従って最新の情報という利点を失うことなく再び観るという選択肢を持たないという欠点が露になる。
【０００７】
本発明の目的は、第１段落で述べた種類の出力装置と、第２段落で述べた種類の出力方法とを提供することにある。これらを用いて、上述の欠点は回避される。
【０００８】
【課題を解決するための手段】
上述の目的を達成するため、本発明による出力装置の場合において、前記選択手段は、出力されるべきオーディオ及びビデオデータとして、戻し時間（ｂａｃｋ ｐｅｒｉｏｄ）だけ前に受信され保存されたオーディオデータと共に現在受信されているビデオデータを、又は現在受信されているオーディオデータと共に戻し時間だけ前に受信され保存されたビデオデータを選択するように構成される。
【０００９】
上述の目的を達成するため、本発明による出力方法の場合において、出力されるべきオーディオ及びビデオデータとして、戻し時間だけ前に受信され保存されたオーディオデータと共に現在受信されているビデオデータを、又は現在受信されているオーディオデータと共に戻し時間だけ前に受信され保存されたビデオデータを選択することが可能である。
【００１０】
このようにして、例えば前記選択手段を作動することによって、前記ユーザが、現在受信されているオーディオデータを同時に聴きながら、現在受信されているテレビジョン番組の以前の場面を再び観ることができることが保証される。このことは、現在受信されているオーディオデータが、テレビジョン番組の重要な場面が現在受信されていることを示唆する場合に、前記ユーザが現在受信されているビデオデータに戻ることを可能にする。
【００１１】
例えば、前記ユーザがサッカーの試合を観ており、今まさに観たゴールが挙げられた場面を、次の瞬間の更なるゴールを見逃すことなく再び観たい場合、前記ユーザは前記選択手段を作動させることにより、現在受信されているオーディオデータを同時に聴きながら、前記メモリ手段を利用して保存された前記ゴールの場面のビデオデータを観ても良い。前記ユーザが前記オーディオデータから、ちょうどその時に関心のある場面が展開していることを認知した場合、前記ユーザは戻って現在受信されているテレビジョン番組を観続けても良い。
【００１２】
同様に、前記選択手段を作動させることにより、現在受信されているビデオデータを同時に観ながら、現在観られているテレビジョン番組の以前の場面のオーディオデータを再び聴くことが可能である。例えばニュース放送における場合、テレビジョンセットによって現在受信され表示されているビデオデータに基づいて、現在受信されているニュース記事が前記ユーザにとって関心のあるものか否かを同時に決定しながら、前記ユーザが話し手によって今まさに示された次の日の気温を再び聴きたい場合に、このことは前記ユーザにとって関心のあるものとなる。現在送信されている記事が本当に関心のあるものである場合、前記ユーザは即時に戻って前記現在受信されている記事のオーディオ及びビデオデータを観ても良い。
【００１３】
請求項２及び請求項１０に記載の手段によれば、前記出力装置又は出力装置のリモートコントローラは戻し（ｂａｃｋ）ボタンを有し、該ボタンの作動により前記戻し時間が選択されるという利点が達成される。かくして、例えば、前記戻しボタンの短時間の作動は、５秒の戻し時間を選択し、前記戻しボタンのより長い作動は、２０秒の戻し時間を選択しても良い。
【００１４】
請求項３に記載の手段によれば、例えば前記戻しボタンの単一の作動によって、現在受信されているオーディオデータと共に、２０秒前に受信されたビデオデータが前記出力装置によって出力されるという利点が達成される。
【００１５】
請求項４及び請求項１１に記載の手段によれば、例えば前記戻しボタンを３回作動させることにより、現在受信されているオーディオデータと共に、６０秒前に受信されたビデオデータが前記出力装置によって出力されるという利点が達成される。
【００１６】
請求項５に記載の手段によれば、送り（ｆｏｒｗａｒｄ）ボタンの単一の作動によって、現在受信されているオーディオ及びビデオデータの出力へととりわけ迅速に交換し戻すことが可能であるという利点が達成される。
【００１７】
請求項６に記載の手段によれば、前記出力装置は特に有利なメモリ手段を有する。
【００１８】
請求項７に記載の手段によれば、前記出力装置は、前記ビデオデータを再生するモニタ及び前記オーディオデータを再生するラウドスピーカと同じ筐体に収容されるという利点が達成される。
【００１９】
請求項８及び１２に記載の手段によれば、前記選択された戻し時間が経過すると、再生が現在受信されているテレビジョン番組の画像と音声へと自動的に戻るという利点が達成される。このようにして、前記ユーザは前記選択された戻し時間の間に所望の場面を再び観又は聴き、するとすぐに再生は現在受信されているテレビジョン番組へと自動的に切り換わる。
【００２０】
本発明は図において示される実施例を参照しながら更に説明されるが、本発明はこれに制限されるものではない。
【００２１】
【発明の実施の形態】
図１は、オーディオ及びビデオテレビジョン番組データの直接出力、又は保存及び遅延された出力のための出力装置を構成し、対応する出力方法を実行する、ハードディスクレコーダ１を示す。アンテナ２はハードディスクレコーダ１に接続され、アンテナ２から、アンテナ２によって受信されたテレビジョン信号ＦＳが、ハードディスクレコーダ１のチューナ３へ送信される。受信されたテレビジョン信号ＦＳは、受信チャネル中にオーディオ及びビデオテレビジョン番組データを含む。
【００２２】
ハードディスクレコーダ１はキーパッド４及び制御段５を更に有する。ハードディスクレコーダ１のユーザは、キーパッド４上のボタンを作動させることにより、ハードディスクレコーダ１の動作モードを作動させ、そうする間に特定のテレビジョン放送局のオーディオ及びデータチャネルが受信される、チューナ３によって受信されるべき受信チャネルを選択しても良い。前記受信チャネルに対応するキーパッドのデータＴＩは、キーパッド４によって制御段５に送信され、前記制御段５は対応する制御データＳＩをチューナ３に送信する。
【００２３】
チューナ３は受信されたテレビジョン信号ＦＳを処理し、選択された前記受信チャネルにおいて受信されたオーディオデータＥＡＩを含むアナログオーディオ信号ＡＳを出力し、前記選択された受信チャネルにおいて受信されたビデオデータＥＶＩを含むアナログビデオデータ信号ＶＳを出力するように構成される。
【００２４】
ハードディスクレコーダ１は加えて、２つのＡ／Ｄ変換器段６及び７を有する。アナログオーディオ信号ＡＳは、Ａ／Ｄ変換器段６へと送られ、受信されたオーディオデータＥＡＩを含むデジタルオーディオデータＡＤは、Ａ／Ｄ変換器段６によってオーディオエンコーダ段８へと送られる。アナログビデオ信号ＶＳはＡ／Ｄ変換器段７へと送られ、受信されたビデオデータＥＶＩを含むデジタルビデオデータＶＤは、Ａ／Ｄ変換器段７によってビデオエンコーダ段９へと送られる。
【００２５】
長く知られているように、オーディオエンコーダ段８は、デジタルオーディオデータＡＤをエンコードし、エンコードされたオーディオデータＥＡＤを出力するように構成され、ビデオエンコーダ段９は、デジタルビデオデータＶＤをエンコードし、エンコードされたビデオデータＥＶＤを出力するように構成される。エンコードされたオーディオデータＥＡＤ及びエンコードされたビデオデータＥＶＤは、ハードディスクレコーダ１の多重化装置段１０へと送信される。
【００２６】
ハードディスクレコーダ１は加えて、受信されたオーディオデータＥＡＩ及びビデオデータＥＶＩを保存するメモリ手段を構成する、ハードディスク段１１を有する。ハードディスクレコーダ１がメモリモードである場合には、多重化装置段１０によって連続的に出力されたエンコードされたオーディオデータＥＡＤ及びエンコードされたビデオデータＥＶＤは、ハードディスク段１１の入力バッファ段を利用してバッファリングされ、ハードディスクの保存周期の間、ハードディスク段１１のハードディスクを利用して前記入力バッファ段によって保存される。ハードディスクレコーダ１が再生モードである場合、ハードディスク読み込み周期に読み出された、エンコードされたオーディオデータＷＥＡＤ及びエンコードされたビデオデータＷＥＶＤは、前記ハードディスク段の出力バッファ段にバッファリングされ、それによって連続的に出力される。
【００２７】
ランダムアクセスメモリ手段に関して一般的に知られているように、同時モードにおいてはハードディスク段１１は、同時の、エンコードされたオーディオデータＥＡＤ及びエンコードされたビデオデータＥＶＤの保存、並びに以前に保存され読み出された、エンコードされたオーディオデータＷＥＡＤ及びエンコードされたビデオデータＷＥＶＤの読み出しのために構成される。このようにして、例えば一般に知られている「ポーズライブＴＶ」の特徴が可能となる。ここではハードディスクレコーダ１は、ハードディスク段１１を用いて、テレビジョン番組の受信されたオーディオデータＥＡＩ及びビデオデータＥＶＩを保存し、同時に例えば１０分前にハードディスク段１１を用いて保存され次いで読み出されたテレビジョン番組のオーディオデータＷＡＩ及びビデオデータＷＶＩを出力する。
【００２８】
ハードディスクレコーダ１が再生及び同時モードにある場合に、ハードディスク段１１を利用して読み出された、エンコードされたオーディオデータＷＥＡＤ及びエンコードされたビデオデータＷＥＶＤを、読み出されたオーディオデータＷＡＩ及びビデオデータＷＶＩを含む、読み出されたアナログオーディオ信号ＷＡＳ及びビデオ信号ＷＶＳとして出力できるようにするために、ハードディスクレコーダ１は加えて、多重分離装置段１２、オーディオデコーダ段１３、ビデオデコーダ段１４、Ｄ／Ａ変換器段１５及びＤ／Ａ変換器段１６を有する。
【００２９】
同時に、多重分離装置段１２は、ハードディスク段１１から読み出された、エンコードされたオーディオデータＷＥＡＤとエンコードされたビデオデータＷＥＶＤとを分離するように構成される。オーディオデコーダ段１３は読み出された、エンコードされたオーディオデータＷＥＡＤをデコードするように構成され、ビデオデコード段１４は読み出された、エンコードされたビデオデータＷＥＶＤをデコードするように構成される。Ｄ／Ａ変換器段１５及び１６は、読み出されたデジタルオーディオデータＷＡＤ及びビデオデータＷＶＤを、読み出されたオーディオデータＷＡＩ及びビデオデータＷＶＩを含む、読み出されたアナログオーディオ信号ＷＡＳ及びアナログビデオ信号ＷＶＳへと変換するように構成される。
【００３０】
ハードディスクレコーダ１は加えて、オーディオデータＡＡＩ及びビデオデータＡＶＩをハードディスクレコーダ１によって出力されるべきものとして選択するための選択手段を有する。前記選択手段はキーパッド４、制御段５並びに第１の選択スイッチ１７及び第２の選択スイッチ１８から成る。
【００３１】
受信されたオーディオデータＥＡＩを含むアナログオーディオ信号ＡＳと、読み出されたオーディオデータＷＡＩを含む読み出されたアナログオーディオ信号ＷＡＳとの両方は、第１の選択スイッチ１７へと送られる。第１の選択スイッチ１７のスイッチ位置に依存して、受信されたアナログオーディオ信号ＡＳ又は読み出されたアナログオーディオ信号ＷＡＳが、出力オーディオデータＡＡＩを含むアナログオーディオ信号として、第１の選択スイッチ１７によって出力される。
【００３２】
受信されたビデオデータＥＶＩを含むアナログビデオ信号ＶＳと、読み出されたビデオデータＷＶＩを含む読み出されたアナログビデオ信号ＷＶＳとの両方は、第２の選択スイッチ１８へと送られる。第２の選択スイッチ１８のスイッチ位置に依存して、受信されたアナログビデオ信号ＶＳ又は読み出されたアナログビデオ信号ＷＶＳが、出力ビデオデータＡＶＩを含むアナログビデオ信号として、第２の選択スイッチ１８によって出力される。
【００３３】
第１の選択スイッチ１７及び第２の選択スイッチ１８は、出力ビデオデータＡＶＩの視覚的な再生及び出力オーディオデータＡＡＩの聴覚的な再生を可能とするため、出力されるべきオーディオデータＡＡＩ及びビデオデータＡＶＩを出力する出力手段をも形成する。この目的のため、第１の選択スイッチ１７によって出力されたアナログオーディオ信号、及び第２の選択スイッチ１８によって出力されたアナログビデオ信号は、テレビジョンセット１９へと送られる。
【００３４】
ハードディスクレコーダ１のユーザは、キーパッド４上のボタンを作動させることにより、前記ユーザがテレビジョンセット１９において、チューナ３によって現在受信されているテレビジョン番組、又はハードディスク段１１によって再生されるテレビジョン番組のどちらを観たいかを選択しても良い。前記ユーザの選択に従って選択スイッチ１７及び１８は、制御段５によって、現在受信されているテレビジョン番組の音声及び画像がテレビジョンセット１９において再生される第１のスイッチ位置（図１に示す）か、又は再生モード若しくは同時モードにおいてハードディスク段１１から読み出されたテレビジョン番組の音声及び画像がテレビジョンセット１９を利用して再生される第２のスイッチ位置に向けられる。
【００３５】
ハードディスクレコーダ１の前記選択手段は加えて、ハードディスクレコーダ１が戻しモードである場合に、出力されるべきオーディオデータＡＡＩ及びビデオデータＡＶＩとして、戻し時間ＴＲだけ前に受信され保存され現在読み出されているオーディオデータＷＡＩと共に現在受信されているビデオデータＥＶＩを選択するように、又は現在受信されているオーディオデータと共に戻し時間ＴＲだけ前に受信され保存され現在読み出されているビデオデータＷＶＩを選択するように構成される。この目的のため、選択スイッチ１７及び１８は、制御段５によってそれぞれ異なるスイッチ位置に向けられる。ハードディスクレコーダ１の以下の適用例は、図２を参照しながら、前記戻しモードの動作及びその利点をより詳細に説明するために利用される。
【００３６】
本適用例によれば、ハードディスクレコーダ１のユーザは、テレビジョン放送局ＣＮＮによるニュース番組放送を観ていると仮定される。この目的のため、前記ユーザは、選択スイッチ１７及び１８を、前記ニュース放送の受信されたオーディオデータＥＡＩ及び受信されたビデオデータＥＶＩが、出力されるべきオーディオデータＡＡＩ及び出力されるべきビデオデータＡＶＩとして、ハードディスクレコーダ１によってテレビジョンセット１９へと出力される、該スイッチの第１のスイッチ位置に向けるためキーパッド４上の適切なボタンを作動させている。受信されたオーディオデータＥＡＩ及び受信されたビデオデータＥＶＩは加えて、上述したようにハードディスク段１１を利用して保存される。
【００３７】
図２は、ハードディスクレコーダ１のチューナ２によって受信されたオーディオデータＥＡＩ及びビデオデータＥＶＩと、ハードディスクレコーダ１によって出力されるオーディオデータＡＡＩ及びビデオデータＡＶＩとを示す。アナログオーディオ信号及びビデオ信号に含まれるオーディオ及びビデオデータは、データブロックによって図示され、それぞれの持続時間Ｔ１は５秒である。かような分割は単に、ハードディスクレコーダ１によって受信され出力されるオーディオ及びビデオデータの図及び説明を簡単化する役を果たすものであり、他の技術的な意味を持つものではない。
【００３８】
本適用例によれば、前記ユーザは、前記ニュース放送において関心のある場面を見ているが、該場面に付随する必要な情報を見逃がすことが更に仮定される。例えば、前記ユーザは現在送信されている天気予報を見られたかも知れなかったが、該ユーザの州の朝の気温を見逃したような場合である。同様に、前記ユーザは今まさに表示されたロット（ｌｏｔｔｏ）の番号を見られたかも知れなかったが、該ユーザは該番号を見逃してしまい、該番号を書き留めたいというような場合である。
【００３９】
幾つかのかような関心のある場面は、時間ｔ１から時間ｔ２までに受信されたオーディオデータＥＡＩ及びビデオデータＥＶＩの中に含まれ、それ故２０秒継続すると仮定される。前記ユーザは時間ｔ２において、該ユーザがロットの番号を見逃してしまったことに気付き、例えば該ユーザはこの関心のある、約２０秒の場面を再び観たいと決定した。この目的のため、前記ユーザはキーパッド４上の戻しボタンを４回押下する。
【００４０】
前記戻しボタンを押下することにより、ハードディスクレコーダ１において前記戻しモードが起動され、制御段５は、前記戻しボタンが押下された回数を、予め設定された５秒の戻し時間ＴＶによって乗算することによって、前記ユーザによって要求された戻し時間ＴＲ＝２０秒を決定する。前記予め設定された５秒の戻し時間は、本例においては、簡潔さのためブロック長Ｔ１に対応する。次いで、位置情報ＰＩが制御段５によってハードディスク段１１に送られる。位置情報ＰＩは、時間ｔ２の２０秒前、即ち時間ｔ１において受信されたオーディオデータＥＡＩ及びビデオデータＥＶＩが保存された読み出し位置を識別する。
【００４１】
ハードディスクレコーダ１において前記戻しモードが起動された場合、制御段５は、第１の選択スイッチ１７を第１のスイッチ位置１８へ、及び第２の選択スイッチ１８を第２のスイッチ位置へ向ける。このようにして、戻しモードにおいて、現在受信されているオーディオデータＥＡＩが、ハードディスク段１１から再生されるビデオデータＷＶＩと共に出力されることが保証される。かくして時間ｔ２から、再生されたビデオデータＷＶＩは、図２に示すように、ブロック１から４の受信されたビデオデータＥＶＩに対応する出力ビデオデータＡＶＩとして出力される。
【００４２】
このようにして、前記ユーザが選択された戻し時間ＴＲに従って、現在受信されている音声を同時に聴きながら、最後の場面を再び観られることが保証される。このようにして、前記ユーザが、一方で前記場面において表示される前記ロットの番号を書き留め、他方で現在何のニュース記事が放送されているかを聴くことができることを有利に保証する。
【００４３】
制御段５は更に、前記戻しボタンが押下されてから選択された戻し時間ＴＲが経過した場合に、現在受信されているオーディオデータＥＡＩ及びビデオデータＥＶＩを、出力されるべきオーディオデータＡＡＩ及びビデオデータＡＶＩとして自動的に選択するように構成される。この目的のため、繰り返される場面のブロック１から４が既に再生された時間ｔ３において、制御段５は、第１の選択スイッチ１７と第２の選択スイッチ１８との両方を、該スイッチの第１のスイッチ位置に向ける。
【００４４】
このようにして、前記ユーザによって見逃された場面の再生の後にハードディスク１が自動的に戻しモードを終了させ、出力オーディオデータＡＡＩ及びビデオデータＡＶＩとして、受信されたオーディオデータＥＡＩ及びビデオデータＥＶＩの出力を再開するという利点が達成される。
【００４５】
特有の利点に、前記戻しボタンを４回押下することによって、前記ユーザはとりわけ簡単に、予め設定された戻し時間ＴＶの４倍、即ち２０秒の戻し時間を選択し得るという事実がある。
【００４６】
前記ユーザが予め設定された戻し時間ＴＶを手動で変更しても良いことは更に有利である。例えば、前記ユーザは少なくとも３０秒の戻し時間で場面を繰り返すことに関心があるかも知れない。この場合、前記ユーザは予め設定される戻し時間ＴＶ＝３０秒を手動で設定しても良い。これによって、前記戻し時間の１度だけの押下によって、戻し時間ＴＲ＝３０秒が有利にも選択される。
【００４７】
前記ユーザは、ハードディスクレコーダ１において前記戻しモードが起動された場合、聴かれる音声に基づいて、最後の場面の繰り返しの間、前記ユーザが、より関心のあるものであり得る現在受信されている場面を見過ごしていることを決定しても良い。例えば前記ユーザは、クイズの質問が提示されていることと、スーパーインポーズされている電話番号に電話をかけて正しく前記クイズの質問に解答した見返りに提供される賞品とを聴くことができる。しかしながらこのことには、通話が即座に為された場合にのみ意味がある。そうでなければ電話回線は確実に既に通話中となるからである。有利にも、前記ユーザはかような場合において、キーパッド４上の送りボタンを押下することによって即座に戻しモードを手動で終了させ、これによって現在受信されているオーディオデータＥＡＩ及びビデオデータＥＶＩが即座に、出力オーディオデータＡＡＩ及びビデオデータＡＶＩとして再び出力される。
【００４８】
同様に、キーパッド４上の他のボタンを押下することによって、前記ユーザは、既に再生されているビデオデータＷＶＩの上に、再生されるオーディオデータＷＡＩの出力を得ることができる。このことは、前記ユーザが戻しモードにおいて前記場面の音声及び画像の両方を再生したい場合にはとりわけ有利である。
【００４９】
当業者には広範囲のランダムアクセス記憶媒体が知られていることに留意されたい。特有の利点には、ハードディスク又は再書き込み可能なＤＶＤ（ＤＶＤ＋ＲＷ）の利用がある。
【００５０】
前記ハードディスクレコーダが戻しモードにある場合、現在受信されているビデオデータＥＶＩは、出力されるべきオーディオデータＡＡＩとして再生されるオーディオデータＷＡＩと共に、出力されるべきビデオデータＡＶＩとして出力されても良いことに留意されたい。この場合前記ユーザは従って、現在受信されているテレビジョン番組の画像を連続的に観ながら、見逃された場面の音声を再び聞くことになる。このことは、例えば前記ユーザが天気予報から聞き逃した気温又はテレビジョンの司会者によって話されたロットの番号を聞くことだけを望む場合に有利になり得る。有利にも、前記キーパッド上のボタンを押下することによって、これらの２つの戻しモードの間を手動で切り替えることが可能となる。
【００５１】
本発明による出力装置は同様に、デジタル形式のオーディオ及びビデオデータを含むデジタルテレビジョン信号を受信することができることに留意されたい。同様に、出力されるべきオーディオ及びビデオデータは、デジタル形式で出力されることができる。例えば、出力装置は従ってＤＶＤ＋ＲＷ装置の形をとることができる。
【００５２】
戻しモードにおいて、例えば戻し時間ＴＲ＝１０分又は１時間を持つ複数の連続する場面さえも再び観られることができることに留意されたい。
【００５３】
本発明によるハードディスクレコーダ１のユーザは、戻しモードにおいて、例えば、特定の映画が始まった丁度そのときに受信されているビデオデータＥＶＩに切り替えることができるように、現在受信されているオーディオデータを同時に聴きながら、該ユーザが１週間前に記録された映画の再生されたビデオデータＷＶＩを観るように利用されることもできることに留意されたい。この例においては従って、戻しモードにおいて、再生されるオーディオデータＷＡＩ及び再生されるビデオデータＷＶＩの出力から、現在受信されているオーディオデータＥＡＩ及び再生されるビデオデータＷＶＩの出力へと交換することが可能である。前記戻し時間は従って、負の値を持った戻し時間、即ち送り時間として理解される。
【図面の簡単な説明】
【図１】受信されたオーディオ及びビデオデータを保存し、保存されたオーディオ及びビデオデータを出力するハードディスクレコーダを示す。
【図２】図１によるハードディスクレコーダによって受信され出力されたオーディオ及びビデオデータについての時間プロファイルを示す。
【国際公開パンフレット】
2005501487.tif 000003
2005501487.tif 000004
2005501487.tif 000005
2005501487.tif 000006
2005501487.tif 000007
2005501487.tif 000008
2005501487.tif 000009
2005501487.tif 000010
2005501487.tif 000011
2005501487.tif 000012
2005501487.tif 000013
2005501487.tif 000014
2005501487.tif 000015
2005501487.tif 000016
2005501487.tif 000017
2005501487.tif 000018
【国際公開パンフレット（コレクトバージョン）】
2005501487.tif 000019
【国際調査報告】
2005501487.tif 000020
2005501487.tif 000021
2005501487.tif 000022